【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
内容物を収容する内部空間、および第１開口部を有する袋と、
前記第１開口部を開封および密封するファスナーと
を有するパウチであって、
前記袋は、前記内部空間を形成する袋本体部、および前記内部空間に内容物を入れるための第２開口部を有し、
前記第２開口部が前記袋本体部の側方部に形成される
パウチ。
【請求項２】
前記第２開口部は、前記袋本体部の側方部から前記袋の外方に向けて突出した形状を有する
請求項１に記載のパウチ。
【請求項３】
前記パウチは、スタンディングパウチとしての形態を有し、底ガゼットを有し、
前記底ガゼットは、前記袋本体部を支持している
請求項２に記載のパウチ。
【請求項４】
前記袋本体部は、前記側方部である第１側方部と、前記第１側方部とは反対側の側方部である第２側方部とを有し、
前記第２側方部は、前記第２開口部に対応する凹形状を有する
請求項２または３に記載のパウチ。
【請求項５】
前記袋は、前記内部空間から蒸気を抜くための通蒸部と、前記通蒸部を密封する通蒸シール部とを有し、
前記袋は、前記通蒸シール部を前記通蒸部から分離するための通蒸ガイド線を有する
請求項１〜４のいずれか一項に記載のパウチ。
【請求項６】
前記袋は、前記第１開口部の縁に形成されて前記ファスナーを密封する開口シール部と、前記開口シール部を前記第１開口部から分離するための開口ガイド線と、前記内部空間から蒸気を抜くための通蒸部と、前記通蒸部を密封する通蒸シール部と、前記通蒸シール部を前記通蒸部から分離するための通蒸ガイド線と、前記ファスナーを切断する切断部とを有し、
前記第１開口部は、前記通蒸部と連続して形成され、
前記開口シール部は、前記通蒸シール部と連続して形成され、
前記ファスナーは、前記第１開口部および前記通蒸シール部にまたがり形成されているものであり、前記第１開口部上に位置する開口ファスナー部と、前記通蒸シール部上に位置する通蒸ファスナー部とを有し、
前記切断部は、前記通蒸ガイド線の端部と対応する位置に形成されている
請求項１〜４のいずれか一項に記載のパウチ。
【請求項７】
前記袋は、前記ファスナーに対して前記内部空間側に位置する袋所定部分を有し、
前記切断部は、前記ファスナーを切断する中間切断部と、前記中間切断部に連続して前記袋所定部分を切断する第１所定切断部と、前記第１所定切断部における前記内部空間側の端部に位置する第２所定切断部と、前記第１所定切断部と前記第２所定切断部とを分断する中断部分とを有する
請求項６に記載のパウチ。
【請求項８】
前記袋は、前記切断部の延長線上において切断抑制構造を有し、
前記切断抑制構造は、前記切断部の延長線上に沿う前記袋のシール部の切断が前記内部空間に到達することを妨げる構造を有する
請求項６または７に記載のパウチ。
【請求項９】
前記袋は、易開封シール部を有し、
前記易開封シール部は、前記第１開口部を密封し、前記ファスナーに対して前記内部空間側に形成されている
請求項１〜８のいずれか一項に記載のパウチ。
【請求項１０】
前記第２開口部にシール加工が施された請求項１〜９のいずれか一項に記載のパウチと、前記パウチに収容された内容物とを有する内容物封入パウチ。
【請求項１１】
内容物を収容する内部空間を有するパウチと、
前記内部空間を開放する第１開口部と、
前記第１開口部を開封および密封するファスナーと、
前記内部空間に収容された内容物と
を含む内容物封入パウチを製造するための製造方法であって、
前記ファスナーにより前記第１開口部が閉鎖され、前記内部空間を開放する第２開口部が側方部に形成されたパウチを製造する工程と、
前記第２開口部が形成された前記パウチのうちの前記第２開口部の両隣をチャックし、前記第２開口部から前記内部空間に内容物を充填する工程と、
前記内容物が充填された後に前記第２開口部をシールする工程と
を備える内容物封入パウチの製造方法。
【手続補正２】
【補正対象書類名】明細書
【補正対象項目名】発明の名称
【補正方法】変更
【補正の内容】
【発明の名称】パウチ、内容物封入パウチ、および、その製造方法
【手続補正３】
【補正対象書類名】明細書
【補正対象項目名】０００１
【補正方法】変更
【補正の内容】
【０００１】
本発明は、内容物を収容する内部空間、および内部空間に内容物を入れるための第１開口部を有する袋と、第１開口部を開封および密封するファスナーとを有するパウチ、内容物封入パウチ、および、その製造方法に関する。
【手続補正４】
【補正対象書類名】明細書
【補正対象項目名】０００４
【補正方法】変更
【補正の内容】
【０００４】
【特許文献１】特開２００８−１２０４１３号公報
【手続補正５】
【補正対象書類名】明細書
【補正対象項目名】０００６
【補正方法】変更
【補正の内容】
【０００６】
本発明は、以上の背景をもとに創作されたものであり、内容物がファスナーに付着することを抑制できるパウチ、内容物封入パウチ、および、その製造方法を提供することを目的とする。
【手続補正６】
【補正対象書類名】明細書
【補正対象項目名】０００７
【補正方法】変更
【補正の内容】
【０００７】
（１）上記手段の一形態は、「内容物を収容する内部空間、および第１開口部を有する袋と、前記第１開口部を開封および密封するファスナーとを有するパウチであって、前記袋は、前記内部空間を形成する袋本体部、および前記内部空間に内容物を入れるための第２開口部を有し、前記第２開口部が前記袋本体部の側方部に形成されるパウチ」を含む。
【手続補正７】
【補正対象書類名】明細書
【補正対象項目名】０００９
【補正方法】変更
【補正の内容】
【０００９】
（２）上記手段の一形態は、「前記第２開口部は、前記袋本体部の側方部から前記袋の外方に向けて突出した形状を有するパウチ」を含む。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
（５）上記手段の一形態は、「前記袋は、前記内部空間から蒸気を抜くための通蒸部と、前記通蒸部を密封する通蒸シール部とを有し、前記袋は、前記通蒸シール部を前記通蒸部から分離するための通蒸ガイド線を有するパウチ」を含む。
上記袋は、内部空間から蒸気を抜くための通蒸部を有する。このため、通蒸シール部が通蒸部から分離された状態において、内容物の加熱にともなう蒸気の発生により内圧が上昇したとき、内部空間の蒸気が通蒸部を介して外部に放出される。このため、袋が過度に膨張することが抑制される。
（６）上記手段の一形態は、「前記袋は、前記第１開口部の縁に形成されて前記ファスナーを密封する開口シール部と、前記開口シール部を前記第１開口部から分離するための開口ガイド線と、前記内部空間から蒸気を抜くための通蒸部と、前記通蒸部を密封する通蒸シール部と、前記通蒸シール部を前記通蒸部から分離するための通蒸ガイド線と、前記ファスナーを切断する切断部とを有し、前記第１開口部は、前記通蒸部と連続して形成され、前記開口シール部は、前記通蒸シール部と連続して形成され、前記ファスナーは、前記第１開口部および前記通蒸シール部にまたがり形成されているものであり、前記第１開口部上に位置する開口ファスナー部と、前記通蒸シール部上に位置する通蒸ファスナー部とを有し、前記切断部は、前記通蒸ガイド線の端部と対応する位置に形成されているパウチ」を含む。
【手続補正１１】
【補正対象書類名】明細書
【補正対象項目名】００１８
【補正方法】変更
【補正の内容】
【００１８】
（７）上記手段の一形態は、「前記袋は、前記ファスナーに対して前記内部空間側に位置する袋所定部分を有し、前記切断部は、前記ファスナーを切断する中間切断部と、前記中間切断部に連続して前記袋所定部分を切断する第１所定切断部と、前記第１所定切断部における前記内部空間側の端部に位置する第２所定切断部と、前記第１所定切断部と前記第２所定切断部とを分断する中断部分とを有するパウチ」を含む。
【手続補正１２】
【補正対象書類名】明細書
【補正対象項目名】００２０
【補正方法】変更
【補正の内容】
【００２０】
（８）上記手段の一形態は、「前記袋は、前記切断部の延長線上において切断抑制構造を有し、前記切断抑制構造は、前記切断部の延長線上に沿う前記袋のシール部の切断が前記内部空間に到達することを妨げる構造を有するパウチ」を含む。
【手続補正１３】
【補正対象書類名】明細書
【補正対象項目名】００２２
【補正方法】変更
【補正の内容】
【００２２】
（９）上記手段の一形態は、「前記袋は、易開封シール部を有し、前記易開封シール部は、前記第１開口部を密封し、前記ファスナーよりも前記内部空間側に形成されているパウチ」を含む。
【手続補正１４】
【補正対象書類名】明細書
【補正対象項目名】００２４
【補正方法】変更
【補正の内容】
【００２４】
（１０）上記手段の一形態は、「前記第２開口部にシール加工が施された上記のいずれか一つに記載のパウチと、前記パウチに収容された内容物とを有する内容物封入パウチ」を含む。
（１１）上記手段の一形態は、「内容物を収容する内部空間を有するパウチと、前記内部空間を開放する第１開口部と、前記第１開口部を開封および密封するファスナーと、前記内部空間に収容された内容物とを含む内容物封入パウチを製造するための製造方法であって、前記ファスナーにより前記第１開口部が閉鎖され、前記内部空間を開放する第２開口部が側方部に形成されたパウチを製造する工程と、前記第２開口部が形成された前記パウチのうちの前記第２開口部の両隣をチャックし、前記第２開口部から前記内部空間に内容物を充填する工程と、前記内容物が充填された後に前記第２開口部をシールする工程とを備える内容物封入パウチの製造方法」を含む。
【手続補正１５】
【補正対象書類名】明細書
【補正対象項目名】００２５
【補正方法】変更
【補正の内容】
【００２５】
本パウチ、内容物封入パウチ、および、その製造方法は、内容物がファスナーに付着することを抑制することができる。